(57)【要約】  電力変換システムであって、パワーコンディショナー１０は、所定の通信アドレスの設定要求信号をブロードキャスト送信する通信部１１を有し、パワーコンディショナーは、設定要求信号に示される所定の通信アドレスを表示する表示部と、入力受付部が所定の通信アドレスを設定する旨の入力を受け付けた場合に、所定の通信アドレスを当該パワーコンディショナーの通信アドレスとして設定したことを示す設定完了信号を生成するアドレス設定部とを有し、パワーコンディショナー１０のアドレス管理部１４は、所定の通信アドレスに対する設定完了信号を受信した場合に、所定の通信アドレス以外の通信アドレスを示す設定要求信号を生成する。
2010150374.tif 000002
【特許請求の範囲】
【請求項１】
発電装置に接続された複数台のパワーコンディショナーと、前記パワーコンディショナーの通信アドレスを設定するアドレス設定装置とを備えた電力変換システムであって、
前記アドレス設定装置は、
所定の通信アドレスの設定要求信号を生成するアドレス管理部と、
前記アドレス管理部が生成した前記設定要求信号をブロードキャスト送信する送信部と
を有し、
前記パワーコンディショナーは、
前記設定要求信号を受信する受信部と、
前記設定要求信号に示される前記所定の通信アドレスを表示する表示部と、
設定者から、前記所定の通信アドレスを設定する旨の入力を受け付ける入力受付部と、
前記入力受付部が前記所定の通信アドレスを設定する旨の入力を受け付けた場合に、前記所定の通信アドレスを当該パワーコンディショナーの通信アドレスとして記憶する記憶部と、
前記所定の通信アドレスを当該パワーコンディショナーの通信アドレスとして設定したことを示す設定完了信号を生成する通信アドレス設定部と、
前記通信アドレス設定部が生成した前記設定完了信号を前記アドレス設定装置に送信する送信部と
を有し、
前記アドレス設定装置は、前記設定完了信号を受信する受信部をさらに有し、
前記アドレス設定装置の前記アドレス管理部は、前記アドレス設定装置の前記受信部が前記所定の通信アドレスに対する前記設定完了信号を受信した場合に、前記所定の通信アドレス以外の通信アドレスを示す前記設定要求信号を生成することを特徴とする電力変換システム。
【請求項２】
前記パワーコンディショナーの前記表示部は、前記受信部が前記設定要求信号を受信したときに、前記記憶部に既に当該パワーコンディショナーの前記通信アドレスが記憶されている場合には、前記受信部が受信した前記設定要求信号に示される前記通信アドレスを表示しないことを特徴とする請求項１に記載の電力変換システム。
【請求項３】
前記パワーコンディショナーの前記表示部は、前記受信部が前記設定要求信号を受信したときに、前記記憶部に既に当該パワーコンディショナーの前記通信アドレスが記憶されている場合には、当該パワーコンディショナーの前記通信アドレスを表示することを特徴とする請求項２に記載の電力変換システム。
【請求項４】
発電装置に接続された複数台のパワーコンディショナーと、前記パワーコンディショナーの通信アドレスを設定するアドレス設定装置とを備えたシステムにおける通信アドレス設定方法であって、
前記アドレス設定装置のアドレス管理部が、所定の通信アドレスの設定要求信号を生成する生成ステップと、
前記アドレス設定装置の送信部が、前記生成ステップで生成した前記設定要求信号をブロードキャスト送信する送信ステップと、
前記パワーコンディショナーの受信部が、前記設定要求信号を受信する受信ステップと、
前記パワーコンディショナーの表示部が、前記設定要求信号に示される前記所定の通信アドレスを表示する表示ステップと、
前記パワーコンディショナーの入力受付部が、設定者から、前記所定の通信アドレスを設定する旨の入力を受け付ける入力受付ステップと、
前記パワーコンディショナーの通信アドレス設定部が、前記入力受付ステップで前記所定の通信アドレスを設定する旨の入力を受け付けた場合に、前記所定の通信アドレスを当該パワーコンディショナーの通信アドレスとして記憶部に記憶する記憶ステップと、
前記パワーコンディショナーの前記通信アドレス設定部が、前記所定の通信アドレスを当該パワーコンディショナーの通信アドレスとして設定したことを示す設定完了信号を生成する通信アドレス設定ステップと、
前記パワーコンディショナーの送信部が、前記通信アドレス設定ステップにおいて生成した前記設定完了信号を前記アドレス設定装置に送信する送信ステップと、
前記アドレス設定装置の受信部が、前記設定完了信号を受信する受信ステップと
を有し、
前記生成ステップでは、前記受信ステップで前記所定の通信アドレスに対する前記設定完了信号を受信した場合に、前記所定の通信アドレス以外の通信アドレスを示す前記設定要求信号を生成することを特徴とする通信アドレス設定方法。
【発明の詳細な説明】
【技術分野】
【０００１】
本発明は、複数のパワーコンディショナーを備えた電力変換システムおよび通信アドレス設定方法に関する。
【背景技術】
【０００２】
パワーコンディショナーは、太陽光発電システムなどに利用されている。太陽光発電システムの発電出力が大容量である場合、一台のパワーコンディショナーでは電力変換を賄いきれない。この場合、複数のパワーコンディショナーを接続し、それぞれのパワーコンディショナーが電力変換を行う。このように、複数のパワーコンディショナーを備えたシステムにおいては、複数のパワーコンディショナーそれぞれの発電量の管理等を行うべく、複数のパワーコンディショナー間での通信を行う。さらに、複数のパワーコンディショナー間での通信を行うために、通信アドレスを設定する必要がある。【０００３】
これまで、通信アドレスの設定は手動で行われてきた。しかしながら、手作業による設定は煩雑であり、複数のパワーコンディショナーに同一のアドレスを割り当てるなどの設定ミスが生じることもあった。このような不都合を解消すべく、自動で通信アドレスを設定する方法も知られている。例えば、特許文献１には、ＤＨＣＰサーバが、パワーコンディショナー等の機器の起動時にこれらの機器にＩＰアドレスを自動的に割り当てる技術が開示されている。
【先行技術文献】
【特許文献】
【０００４】
【特許文献１】特開２００７−２８８８４２号公報
【発明の概要】
【発明が解決しようとする課題】
【０００５】
しかしながら、例えば、設置位置に応じた通信アドレスを割り当てるなど、各機器に希望の通信アドレスを割り当てたい場合がある。しかしながら、上述のように自動的に通信アドレスを割り当てる手法では、所望の通信アドレスを割り当てることができず、この場合には、手動により通信アドレスを割り当てる他なく、作業が煩雑であるという問題があった。【０００６】
本発明は、上記に鑑みてなされたものであって、煩雑な作業を行うことなく、設定者の希望に沿った通信アドレスを設定することのできる電力変換システムおよび通信アドレス設定方法を得ることを目的とする。
【課題を解決するための手段】
【０００７】
上述した課題を解決し、目的を達成するために、本発明は、発電装置に接続された複数台のパワーコンディショナーと、前記パワーコンディショナーの通信アドレスを設定するアドレス設定装置とを備えた電力変換システムであって、前記アドレス設定装置は、所定の通信アドレスの設定要求信号を生成するアドレス管理部と、前記アドレス管理部が生成した前記設定要求信号をブロードキャスト送信する送信部とを有し、前記パワーコンディショナーは、前記設定要求信号を受信する受信部と、前記設定要求信号に示される前記所定の通信アドレスを表示する表示部と、設定者から、前記所定の通信アドレスを設定する旨の入力を受け付ける入力受付部と、前記入力受付部が前記所定の通信アドレスを設定する旨の入力を受け付けた場合に、前記所定の通信アドレスを当該パワーコンディショナーの通信アドレスとして記憶する記憶部と、前記所定の通信アドレスを当該パワーコンディショナーの通信アドレスとして設定したことを示す設定完了信号を生成する通信アドレス設定部と、前記通信アドレス設定部が生成した前記設定完了信号を前記アドレス設定装置に送信する送信部とを有し、前記アドレス設定装置は、前記設定完了信号を受信する受信部をさらに有し、前記アドレス設定装置の前記アドレス管理部は、前記アドレス設定装置の前記受信部が前記所定の通信アドレスに対する前記設定完了信号を受信した場合に、前記所定の通信アドレス以外の通信アドレスを示す前記設定要求信号を生成することを特徴とする。【０００８】
また、本発明の他の形態は、発電装置に接続された複数台のパワーコンディショナーと、前記パワーコンディショナーの通信アドレスを設定するアドレス設定装置とを備えたシステムにおける通信アドレス設定方法であって、前記アドレス設定装置のアドレス管理部が、所定の通信アドレスの設定要求信号を生成する生成ステップと、前記アドレス設定装置の送信部が、前記生成ステップで生成した前記設定要求信号をブロードキャスト送信する送信ステップと、前記パワーコンディショナーの受信部が、前記設定要求信号を受信する受信ステップと、前記パワーコンディショナーの表示部が、前記設定要求信号に示される前記所定の通信アドレスを表示する表示ステップと、前記パワーコンディショナーの入力受付部が、設定者から、前記所定の通信アドレスを設定する旨の入力を受け付ける入力受付ステップと、前記パワーコンディショナーの通信アドレス設定部が、前記入力受付ステップで前記所定の通信アドレスを設定する旨の入力を受け付けた場合に、前記所定の通信アドレスを当該パワーコンディショナーの通信アドレスとして記憶部に記憶する記憶ステップと、前記パワーコンディショナーの前記通信アドレス設定部が、前記所定の通信アドレスを当該パワーコンディショナーの通信アドレスとして設定したことを示す設定完了信号を生成する通信アドレス設定ステップと、前記パワーコンディショナーの送信部が、前記通信アドレス設定ステップにおいて生成した前記設定完了信号を前記アドレス設定装置に送信する送信ステップと、前記アドレス設定装置の受信部が、前記設定完了信号を受信する受信ステップとを有し、前記生成ステップでは、前記受信ステップで前記所定の通信アドレスに対する前記設定完了信号を受信した場合に、前記所定の通信アドレス以外の通信アドレスを示す前記設定要求信号を生成することを特徴とする。
【発明の効果】
【０００９】
本発明によれば、煩雑な作業を行うことなく、設定者の希望に沿った通信アドレスを設定することができるという効果を奏する。
【図面の簡単な説明】
【００１０】
【図１】図１は、実施の形態にかかる電力変換システム１の全体構成を示す図である。
【図２】図２は、マスター機器１０の通信アドレス設定処理にかかる主な構成を示すブロック図である。
【図３】図３は、スレーブ機器２１の通信アドレス設定処理にかかる主な構成を示すブロック図である。
【図４】図４は、マスター機器１０による通信アドレス設定処理を示すフローチャートである。
【図５】図５は、スレーブ機器２１による通信アドレス設定処理を示すフローチャートである。
【図６】図６は、複数のパワーコンディショナーに通信アドレスを設定する様子を模式的に示す図である。
【発明を実施するための形態】
【００１１】
以下に、本発明にかかる電力変換システムおよび通信アドレス設定方法の実施の形態を図面に基づいて詳細に説明する。なお、この実施の形態によりこの発明が限定されるものではない。
【００１２】
実施の形態
図１は、実施の形態にかかる電力変換システム１の全体構成を示す図である。電力変換システム１は、主に発電装置としての太陽電池モジュール２と、複数のパワーコンディショナー１０、２１〜２５とを備えている。太陽電池モジュール２は、太陽光を受光し直流電流を発電する。パワーコンディショナー１０、２１〜２５は太陽電池モジュール２により得られた直流電流を交流電流に変換する。さらに、各パワーコンディショナー１０、２１〜２５は、専用線により直列に接続されており、パワーコンディショナー１０、２１〜２５は、この専用線を介して通信を行うことができる。なお、専用線の接続形態は本実施の形態に限定されるものではない。また、他の例としては、パワーコンディショナー１０、２１〜２５は、無線通信を行ってもよい。
【００１３】
パワーコンディショナー１０はマスター機器、パワーコンディショナー２１〜２５はスレーブ機器として機能し、パワーコンディショナー１０は、専用線を介して各パワーコンディショナー２１〜２５の発電量などの情報を取得し管理する。マスター機器１０は、さらに、インターネットなどネットワークに接続し、サーバなど他の機器と情報の送受信を行う。以下、パワーコンディショナー１０をマスター機器１０、パワーコンディショナー２１〜２５をスレーブ機器２１〜２５と称する。マスター機器１０は、またマスター機器１０とスレーブ機器２１〜２５の通信を行うべく各機器の通信アドレスを設定する。すなわち、マスター機器１０は、パワーコンディショナー１０、２１〜２５の通信アドレスを設定するアドレス設定装置に相当する。
【００１４】
図２は、マスター機器１０の通信アドレス設定処理にかかる主な構成を示すブロック図である。マスター機器１０は、通信部１１と、入力受付部１２と、表示部１３と、アドレス管理部１４と、アドレステーブル記憶部１５とを備えている。通信部１１は、スレーブ機器２１〜２５とデータの送受信を行う。入力受付部１２は例えば操作パネルであって、設定者から情報の入力を受け付ける。表示部１３は各種情報を表示する。
【００１５】
アドレス管理部１４は、スレーブ機器２１〜２５に対する通信アドレスの設定を管理する。アドレステーブル記憶部１５は、各スレーブ機器２１〜２５の通信アドレスと各スレーブ機器２１〜２５を識別する識別情報とを対応付けたアドレステーブルを記憶する。
【００１６】
図３は、スレーブ機器２１の通信アドレス設定処理にかかる主な構成を示すブロック図である。スレーブ機器２１は、通信部３０と、入力受付部３１と、表示部３２と、アドレス設定部３３と、設定アドレス記憶部３４とを備えている。通信部３０は、専用線を介して接続された他の機器、すなわちマスター機器１０およびスレーブ機器２２と情報の送受信を行う。入力受付部３１は、例えば操作パネルであって、設定者から情報の入力を受け付ける。表示部３２は、各種情報を表示する。
【００１７】
アドレス設定部３３は、入力受付部３１からの入力にしたがい、スレーブ機器２１の通信アドレスを設定する。アドレス記憶部３４は、アドレス設定部３３により設定されたスレーブ機器２１の通信アドレスを記憶する。なお、他のスレーブ機器２２〜２５の構成は、スレーブ機器２１の構成と同様である。
【００１８】
図４は、マスター機器１０による通信アドレス設定処理を示すフローチャートである。マスター機器１０のアドレス管理部１４は、まず、アドレス設定要求信号を生成する（ステップＳ１）。ここで、アドレス設定要求信号には、設定すべき任意の通信アドレスが含まれている。次に、通信部１１は、アドレス設定要求信号をすべてのスレーブ機器２１〜２５にブロードキャスト送信する（ステップＳ２）。さらに、アドレス管理部１４は、動作モードをアドレス設定モードに設定する（ステップＳ３）。
【００１９】
マスター機器１０により送信されたアドレス設定要求信号に含まれる通信アドレスは、スレーブ機器２１〜２５のうちいずれかのスレーブ機器において、自身の通信アドレスとして設定される。そして、いずれかのスレーブ機器において通信アドレスが設定されると、通信部１１は、通信アドレスの設定が完了したスレーブ機器からアドレス設定完了信号を受信する（ステップＳ４）。アドレス設定完了信号には、設定された通信アドレスと、当該アドレス設定完了信号の送信元であるスレーブ機器を識別する識別情報が含まれている。
【００２０】
通信部１１がアドレス設定完了信号を受信すると、アドレス管理部１４は、アドレステーブル記憶部１５のアドレステーブルにアドレス設定完了信号に含まれる識別情報と通信アドレスを対応付けて記憶する（ステップＳ５）。
【００２１】
なお、他の例としては、アドレス設定完了信号には、通信アドレスは含まれていなくてもよい。この場合には、マスター機器１０が現在送信済みのアドレス設定要求信号に示される通信アドレスを記憶しておき、アドレス設定完了信号を受信したときに、記憶している通信アドレスと、アドレス設定完了信号に含まれる識別情報とを対応付けて記憶すればよい。
【００２２】
以上の処理により、電力変換システム１に含まれるすべてのパワーコンディショナーの通信アドレスの設定が完了すると（ステップＳ６，Ｙｅｓ）、アドレス設定モードを終了し（ステップＳ７）、通信アドレス設定処理が完了する。アドレス設定モードを終了する処理においては、アドレス管理部１４の指示により、通信部１１は、アドレス設定モードの終了を示す終了信号をブロードキャスト送信する。さらに、アドレス管理部１４は、マスター機器１０の動作モードをアドレス設定モードから通常モードに設定する。
【００２３】
ステップＳ６において、すべてのパワーコンディショナーの通信アドレスの設定が完了していない場合には（ステップＳ６，Ｎｏ）、アドレス管理部１４は、既にパワーコンディショナーに割り当てた通信アドレス、すなわちアドレステーブル記憶部１５に既に登録されている通信アドレス以外の通信アドレスを含むアドレス設定要求信号を生成する（ステップＳ８）。次に、通信部１１は、アドレス管理部１４により生成されたアドレス設定要求信号をブロードキャスト送信する（ステップＳ９）。そして、再びステップＳ４に進み、送信したアドレス設定要求信号に含まれる通信アドレスの設定にかかる処理を行う。
【００２４】
このように、マスター機器１０においては、所定の通信アドレスのアドレス設定要求信号をブロードキャスト送信し、この通信アドレスが所定のスレーブ機器に設定されると、設定済みの通信アドレス以外の通信アドレスのアドレス設定要求信号を送信する。このように、マスター機器１０は、既に所定のスレーブ機器に登録済みの通信アドレスに対するアドレス設定要求信号を送信しないので、スレーブ機器側において通信アドレスが他の機器と重複するか否かの確認作業を行うことなく、複数のスレーブ機器に同一の通信アドレスが設定されるという不都合を解消することができる。
【００２５】
図５は、スレーブ機器２１による通信アドレス設定処理を示すフローチャートである。スレーブ機器２１の通信部３０は、マスター機器１０からブロードキャスト送信されたアドレス設定要求信号を受信する（ステップＳ１１）。アドレス設定要求信号を受信すると、スレーブ機器２１のアドレス設定部３３は、動作モードをアドレス設定モードに設定する（ステップＳ１２）。次に、アドレス設定部３３は、アドレス設定要求信号に含まれる通信アドレスを表示部３２に表示する（ステップＳ１３）。設定者は、表示部３２に表示された通信アドレスを確認し、この通信アドレスをスレーブ機器２１の通信アドレスとして設定したい場合には、操作パネル等を介して表示中の通信アドレスを選択することができる。
【００２６】
設定者により表示中の通信アドレスが選択された場合、すなわち、入力受付部３１が設定者から、表示中の通信アドレスをスレーブ機器２１の通信アドレスとして設定する旨の入力を受け付けた場合（ステップＳ１４，Ｙｅｓ）、アドレス設定部３３は、入力を受け付けた通信アドレスを当該スレーブ機器２１の通信アドレスとして設定する（ステップＳ１５）。具体的には、アドレス設定部３３は、設定者により選択された通信アドレスをアドレス記憶部３４に記憶する。そして、スレーブ機器２１の通信アドレスを設定した旨を示すアドレス設定完了信号をマスター機器１０に送信する（ステップＳ１６）。そして、通信部３０が、マスター機器１０からアドレス設定モードの終了信号を受信すると（ステップＳ１７，Ｙｅｓ）、アドレス設定モードを終了し（ステップＳ１８）、通信アドレス設定処理が完了する。
【００２７】
なお、通信アドレス設定（ステップＳ１５）の後に、通信部１１が他の通信アドレスに対するアドレス設定要求信号を受信することがあるが、この間は、アドレス管理部１４は、これらアドレス設定要求信号に示される通信アドレスの表示部３２への表示は行わないこととする。これにより、アドレス管理部１４は、スレーブ機器２１に通信アドレスが設定済みであることを設定者に知らせることができる。
【００２８】
ステップＳ１４において、通信アドレスの設定がなされない場合には（ステップＳ１４，Ｎｏ）、このまま待機する。そして、通信部１１が新たなアドレス設定要求信号を受信すると（ステップＳ２０）、ステップＳ１３に進む。なお、ステップＳ２０において受信するアドレス設定要求信号に含まれる通信アドレスは、いずれのパワーコンディショナーにも設定されていない未登録の通信アドレスである。
【００２９】
なお、他のスレーブ機器２２〜２５による通信アドレス設定処理は、図５を参照しつつ説明したスレーブ機器２１による通信アドレス設定処理と同様である。
【００３０】
このように、スレーブ機器２１は、マスター機器１０による管理の下、他のパワーコンディショナーと重複しない通信アドレスのみを受信するので、通信アドレスの重複の有無を確認することなく、他の機器と重複する通信アドレスを設定するのを避けることができる。さらに、マスター機器１０により送信された通信アドレスが表示部３２に表示されるので、設定者は通信アドレスを確認し、表示中の通信アドレスをスレーブ機器２１の通信アドレスとして設定したい場合にのみ、設定する旨の入力を行えばよい。このように、設定者は、設定しようとしている通信アドレスが他のパワーコンディショナーの通信アドレスと重複するかどうかを気にすることなく、所望の通信アドレスを設定することができる。
【００３１】
図６は、通信アドレス設定処理にしたがい、複数のパワーコンディショナーに通信アドレスを設定する様子を模式的に示す図である。なお、ここでは、マスター機器１０は、通信アドレスとして、「０１」、「０２」、「０３」とシリアル番号を順番に発行するものとする。まず、図６の上段に示すように、マスター機器１０は、最初に通信アドレス「０１」に対するアドレス設定要求信号をすべてのスレーブ機器２１〜２５にブロードキャスト送信する。これにより、すべてのスレーブ機器２１〜２５の表示部には、通信アドレス「０１」が表示される。
【００３２】
スレーブ機器２１にこの通信アドレス「０１」を割り当てたい場合には、設定者は、スレーブ機器２１の入力受付部３１を介してスレーブ機器２１に通信アドレス「０１」を設定する旨を入力する。これにより、スレーブ機器２１のアドレス設定部３３は、スレーブ機器２１のアドレス記憶部３４に通信アドレス「０１」をスレーブ機器２１の通信アドレスとして記憶する。さらに、アドレス設定部３３は、通信部３０を介してマスター機器１０に対し、通信アドレス「０１」に対するアドレス設定完了信号を送信する。マスター機器１０は、アドレス設定完了信号を受信すると、スレーブ機器２１の識別情報と通信アドレス「０１」とを対応付けてアドレステーブル記憶部１５のアドレステーブルに登録する。これにより、通信アドレス「０１」の設定が完了する。
【００３３】
続いて、図６の中段に示すように、マスター機器１０は、通信アドレス「０２」に対するアドレス設定要求信号をブロードキャスト送信する。これにより、既に通信アドレス「０１」が設定されているスレーブ機器２１以外のスレーブ機器２２〜２５の表示部には、通信アドレス「０２」が表示される。なお、スレーブ機器２１の表示部３２には、既に設定された通信アドレス「０１」が表示される。
【００３４】
そして、設定者は、スレーブ機器２２に通信アドレス「０２」を割り当てるべく、スレーブ機器２２の入力受付部３１を介してスレーブ機器２２に通信アドレス「０２」を設定する旨を入力する。これにより、スレーブ機器２２の通信アドレス設定部は、スレーブ機器２２のアドレス記憶部に通信アドレス「０２」をスレーブ機器２２の通信アドレスとして記憶し、マスター機器１０に対し、通信アドレス「０２」に対するアドレス設定完了信号を送信する。マスター機器１０は、スレーブ機器２１の識別情報と通信アドレス「０１」とを対応付けてアドレステーブル記憶部１５のアドレステーブルに登録し、通信アドレス「０２」の設定が完了する。
【００３５】
さらに、図６の下段に示すように、マスター機器１０は、通信アドレス「０３」に対するアドレス設定要求信号をブロードキャスト送信する。これにより、既に通信アドレスが設定されているスレーブ機器２１、２２以外のスレーブ機器２３〜２５の表示部には、通信アドレス「０３」が表示される。なお、スレーブ機器２１の表示部３２およびスレーブ機器２２の表示部には、それぞれ既に設定された通信アドレス「０１」、「０２」が表示される。
【００３６】
そして、スレーブ機器２３において通信アドレス「０３」が選択されると、スレーブ機器２３において、スレーブ機器２３の通信アドレスとして通信アドレス「０３」が設定され、スレーブ機器２３からマスター機器１０に対し、通信アドレス「０３」に対するアドレス設定完了信号が送信される。マスター機器１０においては、スレーブ機器２３の識別情報と通信アドレス「０３」とを対応付けてアドレステーブル記憶部１５のアドレステーブルに記憶され、通信アドレス「０３」の設定が完了する。
【００３７】
このように、マスター機器１０は異なる通信アドレスに対するアドレス設定要求信号を順番に送信し、設定者が、この通信アドレスを設定したいスレーブ機器において、通信アドレスを設定する旨の入力を行うことにより、設定者の希望通りの通信アドレスを重複することなく半自動的に設定することができる。
【００３８】
なお、第１の変更例としては、本実施の形態においては、マスター機器としてのパワーコンディショナー１０がアドレス設定装置として動作したが、他の例としては、電力変換システム１は、パワーコンディショナーとは別の装置として、アドレス設定装置を備えてもよい。なお、この場合のアドレス装置およびパワーコンディショナーの構成および処理は、それぞれ実施の形態にかかるマスター機器１０およびスレーブ機器２１〜２５の構成および動作と同様である。
【符号の説明】
【００３９】
１  電力変換システム
２  太陽電池モジュール
１０，２１〜２５  パワーコンディショナー
１１  通信部
１２  入力受付部
１３  表示部
１４  アドレス管理部
１５  アドレステーブル記憶部
３０  通信部
３１  入力受付部
３２  表示部
３３  アドレス設定部
３４  アドレス記憶部
【図１】
2010150374.tif 000003
【図２】
2010150374.tif 000004
【図３】
2010150374.tif 000005
【図４】
2010150374.tif 000006
【図５】
2010150374.tif 000007
【図６】
2010150374.tif 000008
【国際調査報告】
2010150374.tif 000009
2010150374.tif 000010